(57)【要約】【課題】端末装置に接続された接続機器を介して重畳接続された他の接続機器の種別を判定し、他の接続機器の種別に応じた動作を行うことを可能とする。【解決手段】端末装置は、第１接続機器に備えられた第１コネクタと接続されるコネクタと、前記第１接続機器に備えられた第２コネクタに第２接続機器が接続されたときに、前記コネクタ及び前記第１接続機器を介して前記第２接続機器と電気的に接続される信号線と、前記信号線の電圧に基づいて前記第２接続機器の種別を判定する判定部と、を含む。【選択図】図１０
2017076870.tif 000002
【特許請求の範囲】
【請求項１】
第１接続機器に備えられた第１コネクタと接続されるコネクタと、
前記第１接続機器に備えられた第２コネクタに第２接続機器が接続されたときに、前記コネクタ及び前記第１接続機器を介して前記第２接続機器と電気的に接続される信号線と、
前記信号線の電圧に基づいて前記第２接続機器の種別を判定する判定部と、
を含む端末装置。
【請求項２】
前記判定部は、前記第２コネクタへの前記第２接続機器の接続によって前記信号線と電気的に接続される前記第２接続機器内の回路部品に応じた前記信号線の電圧を測定する
請求項１に記載の端末装置。
【請求項３】
前記判定部は、前記信号線の電圧に基づき、前記第２接続機器が、イヤホンと、イヤホンマイクと、イヤホンジャックピアスとのいずれであるかを判定する
請求項１又は２に記載の端末装置。
【請求項４】
前記第２接続機器がイヤホンを含む場合に音声チャネルを前記コネクタに接続する一方で、前記第２接続機器が記憶媒体を含む場合に前記記録媒体から読み出しされるデータ及び前記記録媒体へ書き込みされるデータの通信チャネルと前記データの読み出し及び前記書き込み用の電力とを前記コネクタに接続する制御部と、
をさらに含む請求項１から３の何れか１項に記載の端末装置。
【請求項５】
前記第１接続機器は、前記音声チャネルと、前記通信チャネル及び前記電力の供給線との一方として使用される共用線と、記憶媒体と、前記記憶媒体に対するデータの読み書きを行う読み書き部と、を含み、
前記制御部は、前記第２コネクタに前記第２接続機器が接続されている場合に前記共用線を前記第２コネクタに接続し、前記第２コネクタに前記第２接続機器が接続されていない場合に前記共用線を前記記憶媒体及び前記読み書き部に接続する制御信号を前記第１接続機器に供給する
請求項４に記載の端末装置。
【請求項６】
端末装置が備えるコネクタとの接続に使用される第１コネクタと、
他の接続機器との接続に使用される第２コネクタと、
前記端末装置に備えられ且つ前記他の接続機器の種別を判定するための電圧測定に使用される第１信号線に接続される第２信号線と、
前記第２コネクタに接続された前記他の接続機器が備える回路部品とともに前記第２信号線に接続される回路素子と
を含む接続機器。
【請求項７】
前記他の接続機器がマイクロフォンを有し、前記マイクロフォンから入力された音声信号が前記第２信号線を介して前記第１信号線に伝達される場合に、前記回路素子を前記第２信号線から切断する切断回路を含む
請求項６に記載の接続機器。
【発明の詳細な説明】
【技術分野】
【０００１】
本発明は、端末装置，及び接続機器に関する。
【背景技術】
【０００２】
従来、「イヤホンジャックピアス」と呼ばれる、スマートフォンなどの携帯端末（無線端末）のイヤホンジャックに挿して用いる装飾品・アクセサリがある。イヤホンジャックピアスは、イヤホンジャックに埃などが入るのを防ぐ効果や、無線端末の装飾性を高める効果を有する。
【０００３】
一方、本願に関連する先行技術としては、通信機能を備えた携帯端末に着脱可能に接続される固有の識別情報を記憶した接続デバイスであって、前記携帯端末のイヤホンソケットに接続するプラグ端子を備える接続デバイスがある（例えば、特許文献１参照）。この接続デバイスにおけるプラグ端子は、イヤホンソケットが有する音声出力チャンネルから電力を取得するとともに、イヤホンソケットが有するマイク用チャンネルを介して前記識別情報を出力する。
【０００４】
特許文献１には、イヤホンソケットを有した携帯端末で実行するアプリケーションプログラムであって、イヤホンソケットに接続した接続デバイスから、当該接続デバイスに接続された固有の識別情報を取得するアプリケーションプログラムがある。このアプリケーションプログラムは、上記固有の識別情報に基づいて、インターネットに接続された管理サーバからコンテンツの取得先に係る情報を取得する。
【０００５】
また、スマートフォンのヘッドセット用端子に接続可能なピンジャックを備える周辺デバイスがある。周辺デバイスがスマートフォンに接続されると、スマートフォンが、周辺デバイスに記憶されているデバイスＩＤを取得し、そのデバイスに対応するアプリに従った動作を行う（例えば、特許文献２）。
【０００６】
また、送信用マイクのある送信ユニットと、受信用イヤホンのある受信ユニットと、送受信ユニットを携帯電話に電気的に連結させるためのプラグジャックとを有する携帯電話用のハンドフリー送受信セットがある（例えば、特許文献３）。
【先行技術文献】
【特許文献】
【０００７】
【特許文献１】特開２０１４−３６３３２号公報
【特許文献２】特開２０１３−１１５５２６号公報
【特許文献３】実用新案登録第３０７００２０号公報
【発明の概要】
【発明が解決しようとする課題】
【０００８】
しかしながら、イヤホンジャックピアスをイヤホンジャックに装着すると、イヤホンやイヤホンマイクをイヤホンジャックに挿して使用することができなくなる問題があった。しかしながら、イヤホンジャックに挿さったイヤホンジャックピアスを介してイヤホンやイヤホンマイクのような他の接続機器を無線端末に電気的に接続とする発想は、従来存在しなかった。当然に、イヤホンジャックピアスに他のイヤホンジャックピアスを重ねて接続する発想も存在しなかった。
【０００９】
一方、無線端末については、イヤホンジャックピアスに重ねて他の接続機器が接続され
た場合に、接続された他の接続機器の種別を判定し、種別に応じた動作を行えるようにすることが考えられる。
【００１０】
本発明は、端末装置に接続された接続機器を介して重畳接続された他の接続機器の種別を判定し、他の接続機器の種別に応じた動作を行うことを可能とする技術を提供することを目的とする。
【課題を解決するための手段】
【００１１】
本発明の一側面は、端末装置である。端末装置は、第１接続機器に備えられた第１コネクタと接続されるコネクタと、前記第１接続機器に備えられた第２コネクタに第２接続機器が接続されたときに、前記コネクタ及び前記第１接続機器を介して前記第２接続機器と電気的に接続される信号線と、前記信号線の電圧に基づいて前記第２接続機器の種別を判定する判定部と、を含む。
【発明の効果】
【００１２】
本発明によれば、端末装置に接続された接続機器を介して重畳接続された他の接続機器の種別を判定し、他の接続機器の種別に応じた動作を行うことが可能となる。
【図面の簡単な説明】
【００１３】
【図１】図１は、実施形態における携帯端末の構成例と、イヤホンジャックピアスの外観構成例とを示す図である。
【図２】図２は、携帯端末及びイヤホンピアスの回路構成例を示す。
【図３】図３は、イヤホンピアスのジャックに、イヤホンのプラグが接続された状態を示す。
【図４】図４は、イヤホンピアスのジャックに、イヤホンマイクのプラグが接続された状態を示す。
【図５】図５は、イヤホンピアスのジャックに、他のイヤホンピアスのプラグが接続された状態を示す。
【図６】図６は、携帯端末に接続されたイヤホンピアスを介してイヤホンマイクが重畳接続された場合（図４）における、識別電圧測定のための等価回路を示す。
【図７】図７は、携帯端末に接続されたイヤホンピアスを介して他のイヤホンピアスが重畳接続された場合（図５）における、識別電圧測定のための等価回路を示す。
【図８】図８は、イヤホンコネクタ接続検出処理の例を示すフローチャートである。
【図９】図９は、ジャック（イヤホンコネクタ）からのイヤホンピアスのプラグの抜去が検出された場合における処理例を示すフローチャートである。
【図１０】図１０は、重畳接続検出時の処理例を示すフローチャートである。
【図１１】図１１は、重畳接続が解除された場合の処理例を示すフローチャートである。
【図１２】図１２は、携帯端末の状態遷移図である。
【図１３】図１３は、携帯端末の状態遷移図である。
【図１４】図１４は、適用例１の説明図である。
【図１５】図１５は、適用例１を説明するシーケンス図である。
【図１６】図１６は、適用例２の説明図である。
【図１７】図１７は、適用例２を説明するシーケンス図である。
【図１８】図１８は、適用例２を説明するシーケンス図である。
【図１９】図１９は、適用例３の説明図である。
【図２０】図２０は、イヤホンピアスに対するセキュリティＩＤの登録処理の一例を示すシーケンス図である。
【図２１】図２１は、ロック画面におけるロック解除動作の一例を示すシーケンス図である。
【発明を実施するための形態】
【００１４】
以下、図面を参照して実施形態について説明する。実施形態の構成は例示であり、実施形態の構成に限定されない。
【００１５】
実施形態の端末装置は、第１接続機器に備えられた第１コネクタと接続されるコネクタを含む。また、端末装置は、前記第１接続機器に備えられた第２コネクタに第２接続機器が接続されたときに、前記コネクタ及び前記第１接続機器を介して前記第２接続機器と電気的に接続される信号線を含む。さらに、端末装置は、前記信号線の電圧に基づいて前記第２接続機器の種別を判定する判定部と、を含む。
【００１６】
端末装置は、無線端末、携帯端末の他、固定端末、有線端末を含み得る。端末装置は、例えば、スマートフォン，タブレット端末，ラップトップ型或いはデスクトップ型のパーソナルコンピュータ（ＰＣ）、ＰＤＡ（Personal Digital Assistant）など、イヤホンジャックを有する電子機器や情報処理装置を含み得る。
【００１７】
端末装置によれば、信号線の電圧に基づき端末装置に第１接続機器を介して重畳接続された第２接続機器の種別を判定できるので、種別に応じた動作を端末装置が行うことができる。第１接続装置は、例えば、イヤホンジャックピアスである。但し、イヤホンジャックピアス以外の機器も第１接続装置に含み得る。第２接続装置は、例えば、イヤホン，イヤホンマイク，イヤホンジャックピアスを含む。
【００１８】
実施形態の端末装置において、前記判定部は、前記第２コネクタへの前記第２接続機器の接続によって前記信号線と電気的に接続される前記第２接続機器内の回路部品に応じた前記信号線の電圧を測定するようにしても良い。このようにすれば、種別に応じた動作を端末装置が行うことができる。回路部品は、回路素子と導線とを含む。回路素子は、抵抗，インピーダンスを生じさせる電気・電子部品を含む。
【００１９】
実施形態の端末装置において、前記判定部は、前記信号線の電圧に基づき、前記第２接続機器が、イヤホンと、イヤホンマイクと、イヤホンジャックピアスとのいずれであるかを判定することができる。このようにすれば、例えば、第２接続機器がイヤホン／イヤホンマイクか、イヤホンジャックピアスかによって異なる動作を行うことができる。
【００２０】
実施形態の端末装置は、制御部をさらに含むことができる。制御部は、前記第２接続機器がイヤホンを含む場合に音声チャネルを前記コネクタに接続する。一方で、制御部は、前記第２接続機器が記憶媒体を含む場合に前記記録媒体から読み出しされるデータ及び前記記録媒体へ書き込みされるデータの通信チャネルと前記データの読み出し及び前記書き込み用の電力とを前記コネクタに接続する。このようにすれば、第２接続機器がイヤホンを含む場合にイヤホンを使用することが可能となる一方で、第２接続機器の記憶媒体に対してデータを読み書き可能となる。
【００２１】
実施形態の端末装置において、前記第１接続機器は、前記音声チャネルと、前記通信チャネル及び前記電力の供給線との一方として使用される共用線と、記憶媒体と、前記記憶媒体に対するデータの読み書きを行う読み書き部と、を含むことができる。この場合、前記制御部は、前記第２コネクタに前記第２接続機器が接続されている場合に前記共用線を前記第２コネクタに接続する。一方、制御部は、前記第２コネクタに前記第２接続機器が接続されていない場合に前記共用線を前記記憶媒体及び前記読み書き部に接続する制御信号を前記第１接続機器に供給する。このようにすれば、第２接続機器が接続されていない場合に記憶媒体に対してデータの読み書きができるようにする一方で、第２接続機器が接続された場合に共用線を用いて音声信号等を第２接続機器に送るようにすることができる
。
【００２２】
また、実施形態の端末装置は、制御部を含むことができる。制御部は、前記第１接続機器が有する第１記憶媒体と前記第２接続機器が有する第２記憶媒体との一方から読み出したデータを他方へ書き込む処理を行う。この場合、端末装置を経由して、第１接続機器と第２接続機器との間で、データを交換することが可能となる。
【００２３】
以下、上記した端末装置である携帯端末１０、第１接続機器であるイヤホンピアス４０についての実施形態の詳細を説明する。
＜携帯端末の構成＞
図１は、実施形態における携帯端末の構成例と、イヤホンジャックピアスの外観構成例とを示す図である。携帯端末は、「端末装置」の一例である。イヤホンジャックピアスは、「第１接続機器」、「接続機器」の一例である。
【００２４】
図１において、携帯端末１０は、バッテリ（Battery）１１と、電源回路１２と、制御
部１３と、無線部１４と、ＩＣカードリーダライタ１５と、イヤホンコネクタ（イヤホンジャック）１６（以下、「ジャック１６」と表記）とを備えている。制御部１３は、「判定部」、「制御部」の一例である。
【００２５】
電源回路１２は、バッテリ１１から供給される電力を、制御部１３，無線部１４，ＩＣカードリーダライタ１５などの携帯端末１０の各部に供給する。制御部１３は、Central Processing Unit（ＣＰＵ）２１と、メモリ（Memory）２２と、ディスプレイ２３と、オ
ーディオ（Audio）部２４と、カメラ２５と、センサ２６とを含む。
【００２６】
メモリ２２は、主記憶装置と、補助記憶装置とを含む。主記憶装置は、例えば、Random
Access Memory（ＲＡＭ）或いはＲＡＭとRead Only Memory（ＲＯＭ）との組み合わせで形成される。主記憶装置は、ＣＰＵの作業領域，データの記憶領域，通信データのバッファ領域として使用される。補助記憶装置は、例えば、ハードディスク（ＨＤＤ），Solid State Drive（ＳＳＤ），Electrically Erasable Programmable Read-Only Memory（EEPROM），フラッシュメモリなどである。補助記憶装置は、ＣＰＵによって実行されるプログラムと、プログラムの実行に際して使用されるデータとを記憶する。
【００２７】
ディスプレイ２３は、情報を表示する。制御部１３は、情報を入力するための入力装置（図示せず）を備えている。入力装置は、キー，ボタン，タッチパネルなどである。オーディオ部２４は、例えば、マイクロフォンとスピーカとを含む。カメラ２５は、被写体の撮影に使用される。センサ２６は、対象の物性や性質などの検出に使用される。
【００２８】
無線部１４は、携帯端末１０が他の無線通信装置と無線通信するために使用される。無線部１４は、ベースバンド回路３１と、Radio Frequency（ＲＦ）回路３２と、アンテナ
３３とを有する。ベースバンド回路３１は、データとベースバンド信号との間の変換処理を行う。ＲＦ回路３２は、ベースバンド信号と無線信号（ＲＦ信号）との間の変換処理を行う。アンテナ３３は、ＲＦ信号の送受信処理を行う。
【００２９】
ＣＰＵ２１は、メモリ２２に記憶されたプログラムをロードして実行することによって、携帯端末１０が有する様々な機能を実現する。ＣＰＵ２１は、プログラムの実行によって、例えば、ジャック１６に対する接続機器の接続の有無を判定することができる。また、ＣＰＵ２１は、ジャック１６に接続された接続機器がイヤホンピアス４０（第１接続機器）かイヤホンピアス４０以外かの判定、ジャック１６に接続されたイヤホンピアス４０を介して重畳接続された他の接続機器（第２接続機器）の種別を判定することができる。さらに、ＣＰＵ２１は、上記の判定結果に応じて、ＳＷ１，ＬＤＯ１，ＬＤＯ２，イヤホ
ンピアス４０のＳＷ２の動作を制御することができる。ＣＰＵ２１は、「判定部」や「制御部」として動作可能である。
【００３０】
ＩＣカードリーダライタ１５は、Integrated Circuit（ＩＣ）カード（ＩＣチップを含む）１５ａとの通信により、ＩＣカード１５ａからデータを読み出したり、ＩＣカード１５ａにデータを書き込んだりする。
【００３１】
ジャック１６は、イヤホン及びイヤホンマイクのプラグ（オス型コネクタ）の挿入を想定して形成されたジャック（メス型コネクタ）である。ジャック１６には、イヤホンの代わりにイヤホンジャックピアス（以下、「イヤホンピアス」と表記）４０のプラグ４１を挿入することができる。すなわち、イヤホンピアス４０は、ジャック１６に挿抜自在なプラグ４１を備えることで、携帯端末１０に対して着脱自在となっている。ジャック１６は、「端末装置」が備える「コネクタ」の一例である。
【００３２】
また、イヤホンピアス４０は、他のイヤホンピアス４０，イヤホン，及びイヤホンマイクのプラグを挿抜自在なジャック４２を有している。イヤホンピアス４０のジャック４２に、他のイヤホンピアス４０，イヤホン，及びイヤホンマイクの何れかのプラグを挿入することで、他のイヤホンピアス４０，イヤホン又はイヤホンマイクがイヤホンピアス４０を介して携帯端末１０に接続される。プラグ４１は、「第１コネクタ」の一例であり、ジャック４２は、「第２コネクタ」の一例である。
【００３３】
図２は、携帯端末１０及びイヤホンピアス４０の回路構成例を示す。但し、携帯端末１０については、制御部１３とジャック１６との間に設けられた回路構成を図示する。
【００３４】
図２において、制御部１３は、端子“ＧＰＩＯ＿０”と、端子“ＳＷＰ”と、端子“ＨＰ＿Ｌ”と、端子“ＨＰ＿Ｒ”とを備えている。また、制御部１３は、端子“ＧＰＩＯ＿１”と、端子“ＪＭＩＣ”と、端子“ＧＰＩＯ＿２（ＡＤＣ）”と、端子“ＧＰＩＯ＿３”と、端子“ＧＰＩＯ＿４”と、を備えている。
【００３５】
“ＧＰＩＯ”は、ＣＰＵなどのプロセッサが有する汎用出入力（General Purpose Input/Output）ポートである。端子“ＧＰＩＯ＿０”は、信号線５１に接続され、信号線５１にＳＷ１の制御信号を供給するために使用される。端子“ＧＰＩＯ＿１”は、信号線５７の電圧測定に使用される。信号線５７の電圧は、ジャック１６に接続機器（イヤホン，イヤホンマイク，イヤホンピアスの何れか）が接続されているか否かの判定に使用される。
【００３６】
端子“ＧＰＩＯ＿２（ＡＤＣ）”は、制御部１３内でアナログデジタルコンバータ（ＡＤＣ）に接続される。端子“ＧＰＩＯ＿２（ＡＤＣ）”は、信号線５８，５９（マイクライン）の電圧測定に使用される。端子“ＧＰＩＯ＿２（ＡＤＣ）”を用いて測定される電圧は、イヤホンピアス４０のジャック４２に接続された他の接続機器の種別（イヤホン，イヤホンマイク，イヤホンピアス）の判定に使用される。
【００３７】
端子“ＳＷＰ”は、Single Wire Protocolに基づく通信に使用される端子であり、端子“ＳＷＰ”に接続された信号線５２は、通信線（通信チャネル）として使用される。通信線は、データや情報の送受信路として使用される。データや情報は、イヤホンピアス４０の記憶媒体（不揮発性メモリ）から読み出されるデータ，当該記憶媒体（不揮発性メモリ）に書き込まれるデータを含む。
【００３８】
端子“ＨＰ＿Ｌ”は、イヤホン（ヘッドフォン）の左側の音声チャネルの信号“ＨＰ＿Ｌ”の出力端子であり、端子“ＨＰ＿Ｒ”は、イヤホン（ヘッドフォン）の右側の音声チャネルの信号“ＨＰ＿Ｒ”の出力端子である。端子“ＨＰ＿Ｌ”は、信号線５３に接続さ
れ、端子“ＨＰ＿Ｒ”は、信号線５４に接続されている。信号線５３及び信号線５４は、左右の音声チャネルとして使用される。端子“ＪＭＩＣ”は、マイクロフォンからの音声信号の入力端子である。端子“ＪＭＩＣ”は、信号線５８と接続されている。信号線５８は、マイクラインとして使用される。
【００３９】
端子“ＧＰＩＯ＿０”，端子“ＳＷＰ”，端子“ＨＰ＿Ｌ”，及び端子“ＨＰ＿Ｒ”は、信号線５１〜５４を介してスイッチＳＷ１（以下、「ＳＷ１」と表記）に接続されている。ＳＷ１は、信号線５５，５６を介してジャック１６に接続されている。
【００４０】
端子“ＧＰＩＯ＿１”は、信号線５７を介してジャック１６に接続されている。信号線５７には、信号線５７の電圧を１．８Ｖのプルアップするプルアップ抵抗Ｒ１（抵抗Ｒ１）が接続されている。また、端子“ＪＭＩＣ”は、信号線５８を介してジャック１６に接続されている。端子“ＧＰＩＯ＿２”は、信号線５９を介して信号線５８に接続されている。信号線５８には、信号線５８の電圧をＭＩＣ#ＢＩＡＳ電圧にプルアップするプルア
ップ抵抗Ｒ２（抵抗Ｒ２）が接続されている。これらのマイクラインとして使用される信号線５８及び信号線５９は、「信号線」の一例である。
【００４１】
端子“ＧＰＩＯ＿３”は、信号線６０を介して低飽和型リニアレギュレータＬＤＯ１（以下、「ＬＤＯ１」と表記）のチップイネーブル（ＣＥ）端子に接続されている。ＬＯＤ１の入力端子には、バッテリ１１からの入力電圧（実施形態では３．７Ｖ）が印加される。ＬＯＤ１の出力端子は、信号線６１を介してＳＷ１に接続されている。
【００４２】
端子“ＧＰＩＯ＿４”は、信号線６２を介して低飽和型リニアレギュレータLDO2（以下、「ＬＤＯ２」と表記）のＣＥ端子に接続されている。ＬＯＤ２の入力端子にも、バッテリ１１からの入力電圧（実施形態では３．７Ｖ）が印加される。ＬＤＯ２の出力端子は、信号線６３を介してジャック１６に接続されている。なお、信号線６３には、後述するＴｒ２を確実にオフにするために、接地された抵抗６３ａが接続されている。
【００４３】
なお、“ＨＰ＿Ｌ”及び“ＨＰ＿Ｒ”は、「音声チャネル」の一例であり、“ＳＷＰ”は、「通信チャネル」の一例である。また、“３．３Ｖ”は、「データの読み出し及び書き込み用の電力」の一例である。
【００４４】
イヤホンピアス４０のプラグ４１には、信号線７１，７２，７３，７４，７９が接続されている。プラグ４１がジャック１６に挿入（結合）されることで、信号線７１，７２，７３，７４，７９のそれぞれは、携帯端末１０の信号線５５，５６，５７，５８，６３と結線される。信号線５７及び信号線７３は、ジャック１６とプラグ４１との結合により接地される。信号線７３は、グラウンド線として使用される。
【００４５】
信号線７１及び信号線７２は、スイッチＳＷ２（以下、「ＳＷ２」と表記）に接続されている。ＳＷ２は、信号線７５，７６を介してジャック４２に接続されている。また、ＳＷ２は、信号線７７を介してSingle Wire Protocol（ＳＷＰ）モジュール（ＳＷＰ回路）４３に接続されている。ＳＷＰモジュール４３は、ＥＥＰＲＯＭ４４と接続されている。
【００４６】
信号線７１及び信号線７２は、「音声チャネルと、通信チャネル及び電力の供給線との一方として使用される共用線」の一例である。ＳＷＰモジュール４３は、「読み書き部」、「読み書き回路」の一例であり、ＥＥＰＲＯＭ４４は、「記憶媒体」、「第１記憶媒体」、「第２記憶媒体」、「不揮発性メモリ」、「メモリ」、「記憶装置」の一例である。以下、ＥＥＰＲＯＭ４４について「メモリ４４」と表記する。
【００４７】
また、ＳＷ２には、信号線７８が接続されている。信号線７８は、低飽和型リニアレギ
ュレータ（以下、「ＬＤＯ３」と表記）の入力電圧の入力端子と、ＬＤＯ３のＣＥ端子と、発光ダイオード（ＬＥＤ）のアノードに接続されている。ＬＥＤのカソードは、抵抗Ｒ３を介して信号線７３に接続されている。ＬＤＯ３の出力端子は、ＳＷＰモジュール４３及びメモリ４４に接続されており、ＬＤＯ３は、ＳＷＰモジュール４３及びメモリ４４に動作電圧（１．８Ｖ）を供給する。
【００４８】
信号線７３及び信号線７４は、プラグ４１とジャック４２とを接続している。信号線７３と信号線７９との間には、プルダウン抵抗Ｒ５（抵抗Ｒ５）が接続されている。信号線７９には、信号線８０が接続されており、信号線８０は、ＳＷ２に接続されている。また、信号線８０は、ダイオードＤ２及びＭＯＳＦＥＴ  Ｔｒ１（以下「Ｔｒ１」と表記）のソースを介してＳＷ２に接続されている。
【００４９】
また、信号線７９は、Ｔｒ１のゲートと、ＭＯＳＦＥＴ  Ｔｒ２のゲートとに接続されている、Ｔｒ１のドレインは、信号線７４に接続されている。Ｔｒ２のソースは、プルダウン抵抗である抵抗Ｒ４を介して信号線７４に接続されており、Ｔｒ２のドレインは、信号線７３に接続されている。
【００５０】
実施形態に係るイヤホンピアス４０は、不揮発メモリ（メモリ４４）と、シリアルインタフェース（ＳＷＰモジュール４３）とを含む。図２に示す構成において、ジャック１６にプラグが挿入されていない状態では、信号線５７（“Headset＿DET”）の信号レベルは、抵抗Ｒ１によって１．８Ｖにプルアップされている（信号レベルがハイ“Ｈ”である）。
【００５１】
ジャック１６に何らかの接続機器のプラグが挿入されると、信号線５７が接地されることで、信号線５７の信号レベルがロー“Ｌ”に変化する。また、ジャック１６にプラグが挿入された接続機器の種別に応じて信号線５８の電圧（信号線５９及び端子“ＧＰＩＯ＿２”を用いて測定される電圧）が変動する。
【００５２】
制御部１３（例えば、制御部１３に含まれるＣＰＵ２１）は、アナログデジタル変換により得られる端子“ＧＰＩＯ＿２（ＡＤＣ）”の電圧値を測定する。制御部１３は、測定した電圧値から、ジャック１６に挿入されたプラグを有する接続機器、すなわち携帯端末１０に接続された接続機器の種別を判定する。
【００５３】
接続機器の種別がイヤホンピアス４０であれば、ジャック１６とプラグ４１との接触によって、信号線５８と信号線７４とが接続される。この場合に生じる、携帯端末１０内の抵抗Ｒ２とイヤホンピアス４０内の抵抗Ｒ４とで分圧されたＭＩＣ＿ＢＩＡＳ電圧（ＪＭＩＣ＿ＡＤＣ電圧と称する、以下「識別電圧」とも表記する）を、制御部１３が信号線５９及び端子“ＧＰＩＯ＿２”を用いて測定する。識別電圧は、ジャック４２に他の接続機器が接続されていない場合には、ＭＩＣ＿ＢＩＡＳ電圧と、抵抗Ｒ２，抵抗Ｒ４の大きさで決まる。
【００５４】
例えば、ＭＩＣ＿ＢＩＡＳ電圧が、例えば２．８Ｖで、抵抗Ｒ２が２２００Ωであると仮定する。さらに、イヤホンピアス４０が備える抵抗Ｒ４が例えば３８５１〜４０７３Ωであると仮定する。この場合、制御部１３（例えばＣＰＵ２１）が測定した電圧値が１．７８Ｖ以上１．８２Ｖ以下の範囲にあれば、制御部１３は、イヤホンピアス４０が接続された（接続機器の種別がイヤホンピアス４０である）と判定する。
【００５５】
これに対し、イヤホンがジャック１６に接続された場合には、ＭＩＣ＿ＢＩＡＳ電圧は信号線７３を介して接地されるので、識別電圧値は零（０）となる。また、イヤホンマイクがジャック１６に接続された場合には、抵抗Ｒ４の代わりにマイクロフォンのインピー
ダンスで分圧がなされる。イヤホンマイクのマイクロフォンのインピーダンスは、通常、５kΩ〜１３．５kΩの範囲にある。この場合、識別電圧は、２〜２．５Ｖとなる。
【００５６】
よって、ジャック１６に接続された接続機器の種別によって、がイヤホンかイヤホンマイクかイヤホンピアスかによって、異なる識別電圧が測定されるので、制御部１３（ＣＰＵ２１）は、識別電圧に基づき、接続機器の種別を判定することができる。
【００５７】
但し、上記した識別電圧の範囲は、各抵抗Ｒ２，Ｒ４の抵抗値とＭＩＣ＿ＢＩＡＳ電圧の値によって調整可能である。すなわち、イヤホンピアス４０が接続されたと判定される電圧範囲は適宜設定可能である。もっとも、少なくとも、イヤホンマイクの接続時における識別電圧の範囲と異なるように、抵抗Ｒ４の値が設定される。
【００５８】
制御部１３は、接続機器の種別がイヤホンピアス４０であると判定すると、端子“ＧＰＩＯ＿０”から信号線５１にＳＷ１の制御信号“ＳＷ＿ＣＮＴ”を出力し（信号線５１の信号レベルを“Ｈ”にし）、ＳＷ１を介した信号線の接続状態を切り換える。
【００５９】
信号線５１に制御信号“ＳＷ＿ＣＮＴ”が出力されていない状態（信号レベル“Ｌ”）では、ＳＷ１は、信号線５３を信号線５５と接続する一方で、信号線５４を信号線５６と接続する。これに対し、信号線５１に制御信号“ＳＷ＿ＣＮＴ”が出力されている間（信号レベル“Ｈ”の間）、ＳＷ１は、信号線５２（ＳＷＰ）を信号線５５と接続する一方で、信号線６１（３．３Ｖ，電力）を信号線５６と接続する。
【００６０】
信号線５５は、ジャック１６及びプラグ４１を介してイヤホンピアス４０の信号線７１と接続される。同様に、信号線５６は、ジャック１６及びプラグ４１を介してイヤホンピアス４０の信号線７２と接続される。
【００６１】
ＳＷ２は、信号線７９から制御信号“ＳＷ＿ＣＮＴ”が入力されていない間（信号レベル“Ｌ”）、信号線７１と信号線７７とを接続する一方で、信号線７２と信号線７８とを接続する。一方、ＳＷ２は、制御信号“ＳＷ＿ＣＮＴ”が入力されている間（信号レベル“Ｈ”）、信号線７１を信号線７５と接続する一方で、信号線７２を信号線７６と接続する。
【００６２】
制御部１３は、接続機器の種別がイヤホンピアス４０であると判定すると、端子“ＧＰＩＯ＿３”から信号線６０を介してＬＤＯ１のＣＥ端子にオン信号（信号レベル“Ｈ”）を供給する。これによって、ＬＤＯ１がオンとなり、入力電圧３．７Ｖから出力電圧３．３Ｖを生成して信号線６１に出力する。ＳＷ１は、“３．３Ｖ”を信号線５６に出力し、“３．３Ｖ”は、ジャック１６，プラグ４１，信号線７２，及びＳＷ２を介して信号線７８から出力される。
【００６３】
信号線７８への“３．３Ｖ”の出力によって、ＬＥＤが点灯する。ＬＥＤの点灯は、携帯端末１０のユーザ等に、イヤホンピアス４０への通電がなされたことを報知する。また、信号線７８への“３．３Ｖ”の出力によって、ＬＤＯ３のＣＥ端子にオン信号が入力され、ＬＤＯ３がオンとなる。ＬＤＯ３は、入力端子から信号線７８の“３．３Ｖ”を受けて、出力電圧“１．８Ｖ”（動作電力）を生成し、メモリ４４及びＳＷＰモジュール４３に供給（給電）する。
【００６４】
制御部１３は、端子“ＳＷＰ”からメモリ４４内のデータの読み出し要求を、送信する。要求は、通信チャネルとして機能する、信号線５２，ＳＷ１，信号線５５，信号線７１，ＳＷ２，信号線７７を介してＳＷＰモジュール４３に到達する。ＳＷＰモジュール４３は、要求に応じてメモリ４４からデータを読み出し、信号線７７へデータを送出する。デ
ータは、上記した経路を逆に辿って制御部１３に入力される。
【００６５】
メモリ４４には、所定のデータを予め記憶しておくことができる。ＳＷＰモジュール４３は、読み出し要求に応じて、メモリ４４からデータを読み出し、通信チャネルを用いて携帯端末１０へ送信する。所定のデータは、例えば、イヤホンピアス４０の種別を示す情報（固有の識別情報）である。或いは、イヤホンピアス４０と関連づけられたキャラクタの識別情報（キャラクタＩＤと称する）である。但し、データの種類は、上記に限定されず、様々なデータを記憶することができる。
【００６６】
制御部１３（例えばＣＰＵ）は、識別情報に基づいてイヤホンピアス４０の種別を判定し、イヤホンピアス４０の種別に応じたアプリケーション（メモリ２２に予め記憶されている）を、実行する。これにより、携帯端末１０は、ネットワークにアクセスしてサーバから所望の情報をダウンロードしたり、イヤホンピアス４０と携帯端末１０との連携で所定の動作を行ったりすることができる。
【００６７】
また、制御部１３は、例えばメモリ２２に記憶されている、メモリ４４への書き込み対象のデータを、書き込み要求とともに、ＳＷＰモジュール４３へ送る。データ及び書き込み要求は、上記読み出し要求と同じ経路（通信チャネル）で送信される。ＳＷＰモジュール４３は、書き込み要求に基づき、データをメモリ４４に書き込む。
【００６８】
このような仕組みによって、携帯端末１０は、多数（例えば、数万種類以上）のイヤホンピアス４０の種別を識別することができ、種別に応じたアプリケーションの実行を通じて、携帯端末１０に所望の動作を行わせることができる。
【００６９】
これまでに説明しているように、イヤホンピアス４０は、他の接続機器（第２の接続機器）を接続するためのジャック４２を有している。ジャック４２には、他の接続機器としての、他のイヤホンピアス４０，イヤホン，及びイヤホンマイクのプラグを挿入することができる。イヤホンピアス４０は、プラグがジャック４２に挿入された接続機器を携帯端末１０と電気的に接続することができる。
【００７０】
図３は、イヤホンピアス４０のジャック４２に、イヤホン９０のプラグが接続された状態を示す。すなわち、図３は、第２コネクタに第２接続機器としてのイヤホンが接続された状態の一例を示す。図３において、信号線７５からの信号は左用のイヤホン本体９１に接続され、信号線７６からの信号は右用のイヤホン本体９２に接続される。イヤホン本体９１，９２のそれぞれは信号線７３（グラウンド線）に接続される。また、信号線７４（マイクライン）は、導線９０ａを介して信号線７３に接続される。よって、信号線７４の電圧はグラウンドに短絡されるので、識別電圧（ＪＭＩＣ＿ＡＤＣ電圧）は０となる。イヤホン９０は、「第２接続機器」の一例であり、イヤホン本体９１，９２は、「第２接続機器がイヤホンを含む場合」における「イヤホン」の一例である。導線９０ａは、「信号線と電気的に接続される第２接続機器内の回路部品」の一例である。
【００７１】
図４は、イヤホンピアス４０のジャック４２に、イヤホンマイク９３のプラグが接続された状態を示す。すなわち、図４は、第２コネクタに第２接続機器としてのイヤホンマイクが接続された状態の一例を示す。図４において、信号線７５からの信号は左用のイヤホン本体９１に接続され、信号線７６からの信号は右用のイヤホン本体９２に接続される。各イヤホン本体９１，９２は信号線（グラウンド線）に接続される。マイクロフォン９４（マイク９４）は、信号線７４に接続される一方で信号線７３に接続される。イヤホンマイク９３は、「第２接続機器」の一例である。また、マイク９４は、「信号線と電気的に接続される第２接続機器内の回路部品」の一例である。
【００７２】
図５は、イヤホンピアス４０のジャック４２に、他のイヤホンピアス４０Ｂのプラグ４１が接続された状態を示す。すなわち、図５は、第２コネクタに第２接続機器として他のイヤホンピアスが接続された状態の一例を示す。
【００７３】
イヤホンピアス４０Ｂは、イヤホンピアス４０と同じ構成を有するので詳細な説明は省略する。なお、イヤホンピアス４０Ｂにおける抵抗Ｒ４ａ，抵抗Ｒ６，及びスイッチＳＷ３は、イヤホンピアス４０における抵抗Ｒ４，抵抗Ｒ５及びＳＷ２と同じものであるが、説明容易のために別の符号を付してある。
【００７４】
図５において、イヤホンピアス４０のジャック４２とイヤホンピアス４０Ｂのプラグ４１との接続によって、以下のような結線状態となる。信号線７５が信号線７１に接続され、信号線７６が信号線７２に接続される。信号線７３が信号線７３に接続され、信号線７４が信号線７４に接続される。他のイヤホンピアス４０Ｂは、「第２接続機器」の一例である。抵抗Ｒ４ａは、「信号線と電気的に接続される第２接続機器内の回路部品」の一例である。
【００７５】
図６は、携帯端末１０に接続されたイヤホンピアス４０を介してイヤホンマイク９３が重畳接続された場合（図４）における、識別電圧測定のための等価回路を示す。図７は、携帯端末１０に接続されたイヤホンピアス４０を介して他のイヤホンピアス４０Ｂが重畳接続された場合（図５）における、識別電圧測定のための等価回路を示す。
【００７６】
図６に示すように、イヤホンピアス４０にイヤホンマイク９３が重畳接続された場合では、識別電圧として、ＭＩＣ＿ＢＩＡＳ電圧のうち、並列接続された抵抗Ｒ４及びマイク９４のインピーダンス[Ω]にかかる電圧が測定される。一方、図７に示すように、イヤホンピアス４０にイヤホンピアス４０ｂが重畳接続された場合では、識別電圧として、ＭＩＣ＿ＢＩＡＳ電圧のうち、並列接続された抵抗Ｒ４及び抵抗Ｒ４ａにかかる電圧が測定される。
【００７７】
ここで、マイク９４のインピーダンスの範囲が、例えば５０００〜１３５４６[Ω]であり、抵抗Ｒ４（抵抗Ｒ４ａ）の範囲が３５８１〜４０７３[Ω]であると仮定する。この場合、分圧計算によって、イヤホンマイク９３の重畳接続時における識別電圧の範囲は、１．４０〜１．６４[Ｖ]となる。一方、イヤホンピアス４０Ｂの重畳接続時における識別電圧の範囲は、１．３１〜１．３５[Ｖ]となる。
【００７８】
このように、第２接続機器に備えられ信号線５８と接続される回路部品の相違（導線９０ａ，マイク９３，抵抗Ｒ４ａの別）によって、異なる範囲の識別電圧（分圧）が測定される。識別電圧の範囲と接続機器の種別との関連づけ（対応関係）は、例えば、予めメモリ２２に記憶されている。したがって、制御部１３は、識別電圧値に基づく種別をメモリ２２から検索することで、識別電圧に基づき、第２接続機器の種別を判定することができる。
【００７９】
以上のような、携帯端末１０に対するイヤホンピアスの単独接続、及びイヤホンピアスに対するイヤホン，イヤホンマイク，イヤホンピアスの重畳接続時における識別電圧を表に纏めると、以下の表１となる。
【表１】
2017076870.tif 000003
【００８０】
表１では、イヤホンピアス４０の単独接続時における識別電圧として、代表値１．８Ｖを示している。また、イヤホンマイク９３の重畳接続時における識別電圧として、代表値１．５８Ｖを示している。また、イヤホンピアス４０Ｂの重畳接続時における識別電圧として、代表値を１．３３Ｖとしている。但し、実施形態で示す電圧値はあくまで一例である。識別電圧（の範囲）は、上述したように、入力電圧（ＭＩＣ＿ＢＩＡＳ電圧），抵抗Ｒ２，抵抗Ｒ４（抵抗Ｒ４ａ），マイク９４のインピーダンスによって決まるので、これらのパラメータの適宜設定により、所望の識別電圧が測定されるようにすることができる。
【００８１】
なお、信号線５８は「第１信号線」の一例であり、信号線７４は「第２信号線」の一例である。導線９０ａ，マイク９４，抵抗Ｒ４ａは、「回路部品」の一例である。一方、抵抗Ｒ４は、「第２コネクタ（ジャック４２）に接続された前記他の接続機器が備える回路部品とともに第２信号線に接続される回路素子」の一例である。そして、回路部品及び回路素子は、第１信号線（信号線５８）の電圧を決定する要素となる。
【００８２】
＜携帯端末１０の動作例＞
次に、携帯端末１０の動作例について説明する。図８〜図１１の処理は、例えば、制御部１３のＣＰＵ２１がメモリ２２（記憶媒体）に記憶されたプログラムを実行することによって行われる。但し、ＣＰＵ２１によって行われる処理は、専用又は汎用のハードウェア（回路）によって行われるようにしても良い。
＜＜イヤホンコネクタ接続検出処理＞＞
図８は、イヤホンコネクタ接続検出処理の例を示すフローチャートである。０１では、制御部１３は、信号線５７（例えば図２）上の信号“Headset＿DET”の信号レベル（電圧）を判定する。ジャック１６（イヤホンコネクタ）にプラグが挿入されていない状態（イヤホンコネクタ未接続状態）では、信号線５７の信号レベルは“Ｈ”である。
【００８３】
これに対し、ジャック１６にプラグが挿入されると、信号線５７の接地により信号レベルが“Ｈ”から“Ｌ”に変化する。制御部１３は、信号レベルの変化（Ｈ→Ｌ）を端子“ＧＰＩＯ＿１”で検出すると、ジャック１６に何らかの機器のプラグが挿入された状態（イヤホンコネクタ接続状態）と判定する（０２）。
【００８４】
０３では、制御部１３は、端子“ＧＰＩＯ＿２（ＡＤＣ）”から検出される信号線５９の電圧（識別電圧）を、測定する。このとき、電圧値が１．７８〜１．８２Ｖ（「第１の範囲」の一例）であれば、処理が０４に進む。電圧値が０、或いは２〜２．５Ｖ（「第１の範囲以外の範囲」の一例）であれば、処理が０８に進む。
【００８５】
０４では、制御部１３は、ジャック１６にイヤホンピアス４０が接続されたと判定する。０５では、制御部１３は、端子“ＧＰＩＯ＿０”を用い、信号線５１の信号レベルを“Ｌ”から“Ｈ”にする。すると、ＳＷ１は、信号線５５及び信号線５６への出力を、“ＳＷＰ”（通信チャネル）および“３．３Ｖ”（電力）に切り替える。
【００８６】
０６では、制御部１３は、端子“ＧＰＩＯ＿３”を用いて信号線６０の信号レベルを“Ｈ”にする。これによって、ＬＤＯ１のＣＥ端子にオン信号が入力される。オンとなったＬＤＯ１は、ＳＷ１へ電力“３．３Ｖ”を供給する。なお、０５の処理と０６の処理との順は逆でも良い。
【００８７】
０５及び０６の処理によって、シングルワイヤ通信が開始される（０７）。すなわち、“ＳＷＰ”及び“３．３Ｖ”がジャック１６を介してイヤホンピアス４０に供給される。このとき、イヤホンピアス４０内では、以下のような動作が行われる。
【００８８】
ジャック１６とプラグ４１の接続状態において、携帯端末１０のＬＯＤ２がオフである場合には、イヤホンピアス４０内のＴｒ１及びＴｒ２はオンである。この場合、Ｔｒ１は、信号線５８から信号線７４へ供給される電圧をＳＷ２の電源電圧ＶＣＣとしてＳＷ２に供給する。Ｔｒ２は、信号線７４（マイクライン）に接続された抵抗Ｒ４をプルダウン抵抗として信号線７３に接続する。
【００８９】
ＬＯＤ２がオフの場合、信号線７９の信号レベルは“Ｌ”である。この場合、制御信号“ＳＷ＿ＣＮＴ”を受けていないので、ＳＷ２は、信号線７１及び信号線７２からの入力（“ＳＷＰ”及び“３．３Ｖ”）を、信号線７７及び信号線７８に出力する。
【００９０】
“ＳＷＰ”が信号線７７に接続されることで、ＳＷＰモジュール４３が、信号線７７，ＳＷ２，信号線７１及びプラグ４１を用いた通信チャネルで、携帯端末１０の通信チャネル（信号線５２，ＳＷ１，信号線５５，ジャック１６）と接続される。また、“３．３Ｖ”が信号線７８に接続されることで、ＬＤＯ３がＳＷＰモジュール４３及びメモリ４４に動作電圧（１．８Ｖ）を供給する。これによって、携帯端末１０とイヤホンピアス４０とがシングルワイヤ通信可能な状態となる。
【００９１】
ＳＷＰモジュール４３は、制御部１３からのデータの読み出し指示に応じて、メモリ４４に記憶されたデータ（例えば、イヤホンピアス４０の固有の識別情報など）を読み出し、通信チャネルを介して制御部１３に送る。或いは、ＳＷＰモジュール４３は、通信チャネルを介して受信した制御部１３からの書き込み指示に応じて、制御部１３から供給されたデータは情報をメモリ４４に書き込む。このように、携帯端末１０は、イヤホンピアス４０とのシングルワイヤ通信により、メモリ４４（記憶媒体）からデータを読み出したり、データを書き込んだりすることができる。
【００９２】
０３の処理において、信号線５９の電圧(識別電圧)が零であれば、制御部１３は、０８において、重畳接続された第２接続機器の種別がイヤホン９０であると判定する。一方、信号線５９の電圧(識別電圧)が２〜２．５Ｖであれば、制御部１３は、０８において、重畳接続された第２接続機器の種別がイヤホンマイク９３であると判定する。
【００９３】
なお、イヤホン９０は、図３に示す回路構成を有しているので、携帯端末１０のジャック１６に接続されると、信号線７４の電圧が導線９０ａを介して信号線７３（グラウンド線）に短絡されるので、識別電圧が零となる。また、イヤホンマイク９３は、図４に示す回路構成を有しているので、携帯端末１０のジャック１６に接続されると、信号線７４がマイク９４を介して信号線７４に接続されるので、マイク９４のインピーダンスに応じた識別電圧（例えば、２〜２．５Ｖ）となる。
【００９４】
信号線５１の信号レベルが“Ｌ”のとき、ＳＷ１は、信号線５３及び信号線５４を、信号線５５及び信号線５６に接続する。すなわち、音声チャネルをジャック１６に接続する。これにより、音声チャネルで伝送される音声信号が、イヤホン９０又はイヤホンマイク
９３のイヤホン本体９１，９２に接続されるので、ユーザは、イヤホン本体９１，９２で再生された音声を聞くことができる。
【００９５】
＜＜イヤホンコネクタ抜去検出時の処理＞＞
図９は、ジャック１６（イヤホンコネクタ）からのイヤホンピアス４０のプラグ４１の抜去が検出された場合における処理例を示すフローチャートである。
【００９６】
イヤホンコネクタ接続状態において、イヤホンピアス４０のプラグ４１がジャック１６から抜去されると、信号線５７の信号レベルが“Ｌ”から“Ｈ”に変化する（１１）。信号レベルの変化は、制御部１３が、端子“ＧＰＩＯ＿１”を用いて検出する。１１において、制御部１３が信号レベルの変化“Ｈ”→“Ｌ”を検出すると、処理が１２に進む。
【００９７】
１２において、制御部１３は、信号レベルの変化（“Ｈ”→“Ｌ”）によって、シングルワイヤ通信が切断され、イヤホンコネクタ未接続状態と判定する。この場合、制御部１３は、端子“ＧＰＩＯ＿０”，すなわち信号線５１の信号レベルを低下（“Ｈ”→“Ｌ”）させて、ＳＷ１の出力を切り替える（１３）。すなわち、ＳＷ１は、出力を“ＳＷＰ”及び“３．３Ｖ”から“ＨＰ＿Ｌ”及び“ＨＰ＿Ｒ”に切り替える。
【００９８】
また、制御部１３は、信号線６０の信号レベルを“Ｈ”から“Ｌ”に低下させて、ＬＤＯ１をオフにする（１４）。ＬＯＤ１のオフにより、イヤホンピアス４０用の電力の生成が停止され、バッテリ消費が抑えられる。なお、１３の処理と１４の処理との順は逆でも良い。
【００９９】
＜＜重畳接続検出時の処理＞＞
図１０は、重畳接続検出時の処理例を示すフローチャートである。図１０の２１において、制御部１３は、所定周期（例えば１秒）毎に、識別電圧の測定を行う。測定された電圧値が、例えば１．３１〜１．３５Ｖの範囲にあれば、制御部１３は、イヤホンピアス重畳接続状態であると判定し、処理を２２に進める。イヤホンピアス重畳接続状態とは、携帯端末１０に接続されたイヤホンピアス４０のジャック４２に第２接続機器として他のイヤホンピアス４０Ｂが重畳接続されている状態（図５）を示す。
【０１００】
これに対し、測定された電圧値が例えば１．４０〜１．６５Ｖ、或いは０であれば、ＣＰＵ２１は、イヤホンマイク／イヤホン重畳接続状態であると判定し、処理を２４に進める。イヤホンマイク／イヤホン重畳接続状態は、携帯端末１０に接続されたイヤホンピアス４０のジャック４２にイヤホンマイク９３が接続された状態（図４）、或いはイヤホン９０が重畳接続された状態（図３）を示す。
【０１０１】
２２では、制御部１３は、端子“ＧＰＩＯ＿４”を用い、信号線６２にオン信号（信号レベル“Ｈ”）を供給し、ＬＤＯ２をオンにする。これによって、イヤホンピアス４０のＴｒ１及びＴｒ２がオフとなる。Ｔｒ１のオフを受けて、ＳＷ２は、電源電圧ＶＣＣを信号線７９から受ける一方で、制御信号“ＳＷ＿ＣＮＴ”を受ける。すると、ＳＷ２は、信号線７１及び信号線７２からの入力の出力先を、信号線７７及び信号線７８から信号線７５及び信号線７６に切り換える。
【０１０２】
これによって、信号線７１及び信号線７２で供給されている“ＳＷＰ”及び“３．３Ｖ”が、信号線７５及び信号線７６を介してジャック４２に接続され、イヤホンピアス４０Ｂに供給される（図５参照）。
【０１０３】
イヤホンピアス４０Ｂ内では、以下のような動作が行われる。イヤホンピアス４０のジャック４２とイヤホンピアス４０Ｂのプラグ４１との接続によって、イヤホンピアス４０
Ｂの信号線７９が抵抗Ｒ６を介して信号線７３に接続される（プルダウンされる）。これにより、イヤホンピアス４０ＢのＴｒ１及びＴｒ２がオンとなる。Ｔｒ１のオンにより、イヤホンピアス４０の信号線７４から供給される電圧がスイッチＳＷ３（以下「ＳＷ３」と表記）の電源電圧ＶＣＣとして供給される。
【０１０４】
上記のような状態において、ＳＷ３は、信号線７１及び信号線７２からの入力を、信号線７７及び信号線７８へ出力する。よって、イヤホンピアス４０Ｂが備えるＬＤＯ３により、イヤホンピアス４０ＢのＳＷＰモジュール４３及びメモリ４４に動作電力が供給され、ＳＷＰモジュール４３が通信チャネルで接続される。このようにして、他のイヤホンピアス４０Ｂと携帯端末１０との間のシングルワイヤ通信が開始される（２３）。
【０１０５】
シングルワイヤ通信を通じて、携帯端末１０は、イヤホンピアス４０Ｂのメモリ４４からデータを読み出し、取得することができる。また、携帯端末１０からデータがイヤホンピアス４０Ｂに送り、イヤホンピアス４０Ｂのメモリ４４に書き込み（記憶）することができる。
【０１０６】
ところで、２４に処理が進んだ場合には、以下のような処理が行われる（図３、図４参照）。制御部１３は、端子“ＧＰＩＯ＿０”を用い、信号線５１の信号レベルを変化（“Ｈ”→“Ｌ”）させて、ＳＷ１の出力を切り替える。すなわち、ＳＷ１は、信号線５３及び信号線５４からの入力を、信号線５５及び信号線５６へ出力する。これによって、音声チャネルの音声信号がイヤホンピアス４０へ送られる。
【０１０７】
制御部１３は、端子“ＧＰＩＯ＿３”を用い、信号線６０の信号レベルを“Ｈ”から“Ｌ”に変化させて、ＬＤＯ１をオフにする（２４ａ）。これによって、イヤホンピアス４０の電源生成を停止し、バッテリ１１の消費を抑える。但し、ＬＤＯ１をオンのままにすることもあり得る。
【０１０８】
２５では、制御部１３は、端子“ＧＰＩＯ＿４”を用い、信号線６２の信号レベルを上昇（“Ｌ”→“Ｈ”）させて、ＬＤＯ２をオンにする。これによって、イヤホンピアス４０のＴｒ１及びＴｒ２がオフとなる。
【０１０９】
Ｔｒ１のオフを受けて、ＳＷ２は、電源電圧ＶＣＣを信号線７９から受ける一方で、制御信号“ＳＷ＿ＣＮＴ”を受ける。すると、ＳＷ２は、信号線７１及び信号線７２から入力される音声信号を、信号線７５及び信号線７６へ出力する。これによって、音声チャネルがジャック４２（第２コネクタの一例）に接続され、イヤホン９０（図３）又はイヤホンマイク９３（図４）に送られる。なお、２４の処理と２５の処理との順は逆でも良い。
【０１１０】
２６では、イヤホン／イヤホンマイク動作モードで、携帯端末１０が動作する。これにより、音声信号がイヤホン９０やイヤホンマイク９３へイヤホンピアス４０を介して供給される。図４に示すように、イヤホンマイク９３が重畳接続されている場合には、マイク９４からの信号を、イヤホンピアス４０を介して携帯端末１０へ送ることができる。
【０１１１】
ところで、上述したＴｒ１及びＴｒ２は、イヤホンマイク９３が携帯端末１０に重畳接続された場合に、マイクレベル（マイク９４の信号レベル）の低下を抑える切断回路４５として動作する。
【０１１２】
携帯端末１０に重畳接続された他の接続機器（イヤホンマイク９３）がマイクロフォン（マイク９４）を有する場合、マイク９４からの入力信号は、接続機器（イヤホンピアス４０）内の信号線７４を介して信号線５８に伝達される。信号線７４は、「第２の信号線」の一例であり、信号線５８は「信号線」の一例である。この場合に、切断回路４５であ
るＴｒ１，Ｔｒ２がそれぞれオフとなることで、Ｔｒ１及び抵抗Ｒ４が信号線７４から切断された状態となる。Ｔｒ１及び抵抗Ｒ４は、「第２の信号線に接続された所定の回路素子」の一例である。よって、マイク９４から入力される音声信号の信号レベルがＴｒ１や抵抗Ｒ４の影響を受けて低下するのを抑えることができる。
【０１１３】
＜＜重畳接続解除時の処理＞＞
図１１は、重畳接続が解除された場合の処理例を示すフローチャートである。イヤホンピアス重畳接続状態において、制御部１３は、所定周期（例えば１秒）で、識別電圧を測定する。このとき、測定された識別電圧の値が、例えば１．７８〜１．８２Ｖであれば、処理が３１ａに進む。１．７８〜１．８２Ｖ以外の電圧値の場合には、処理が３１ｂに進む。
【０１１４】
３１ｂに処理が進んだ場合には、制御部１３は、イヤホンピアス重畳接続状態が継続していると判定する。制御部１３は、識別電圧の値に応じて、重畳接続されている第２接続機器の種別を識別することができる。
【０１１５】
３１ａに処理が進んだ場合には、制御部１３は、イヤホンピアス単独接続状態、すなわち、イヤホンピアス４０に重畳接続されていた他のイヤホンピアス４０Ｂ，イヤホン９０，イヤホンマイク９３の何れかが抜去された状態、と判定し、処理を３２に進める。
【０１１６】
３２では、制御部１３は、端子“ＧＰＩＯ＿０”を用い、信号線５１の信号レベルを上昇（“Ｌ”→“Ｈ”）させて、ＳＷ１の出力を、“ＨＰ＿Ｌ”及び“ＨＰ＿Ｒ”（音声チャネル）から“ＳＷＰ”及び“３．３Ｖ”（通信チャネル及び電力）に切り替える。
【０１１７】
３３では、制御部１３は、端子“ＧＰＩＯ＿３”を用い、信号線６０の信号レベルを上昇（“Ｌ”→“Ｈ”）させて、ＬＤＯ１をオンにする。３４では、制御部１３は、端子“ＧＰＩＯ＿４”を用い、信号線６２の信号レベルを下降（“Ｈ”→“Ｌ”）させて、ＬＤＯ２をオフにする。なお、３２，３３，及び３４の処理の順序は適宜変更可能である。
【０１１８】
３２，３３，及び３４の処理によって、制御部１３は、イヤホンピアス４０とのシングルワイヤ通信を実行可能な状態となる（３５）。シングルワイヤ通信を介して、携帯端末１０は、イヤホンピアス４０のメモリ４４からデータを読み出したり、メモリ４４にデータを書き込んだりすることができる。
【０１１９】
＜＜状態遷移＞＞
図１２及び図１３は、携帯端末１０の状態遷移図である。図１２において、ジャック１６に何も接続されていない状態（イヤホンコネクタ未接続状態：図１２のＳ１）において、ジャック１６にプラグが挿入されると、識別電圧（ＪＭＩＣ＿ＡＤＣ電圧）に基づき、プラグがジャック１６に挿入された接続機器の種別が判定される。
【０１２０】
識別電圧が零、或いは、２〜２．５Ｖであれば、接続機器としてイヤホン９０又はイヤホンマイク９３が接続されたと判定される。この場合、イヤホン／イヤホンマイク接続状態（図１２のＳ２）に遷移し、携帯端末１０は、イヤホン／イヤホンマイク動作モードで動作する（図１２のＳ３）。
【０１２１】
これに対し、識別電圧が１．７８〜１．８２Ｖであれば、接続機器としてイヤホンピアス４０が接続されたと判定され、イヤホンピアス接続状態（図１２のＳ４）に遷移する。携帯端末１０は、ＳＷＰに基づきイヤホンピアス４０と通信を行うシングルワイヤ通信モードで動作する（図１２のＳ５）。
【０１２２】
イヤホン／イヤホンマイク動作モード（Ｓ３）及びシングルワイヤ通信モード（Ｓ５）において、ジャック１６からのプラグの抜去が検出（イヤホンコネクタ未接続が検出）されると、イヤホンコネクタ未接続状態に戻る（Ｓ１）。
【０１２３】
図１３に示すように、ジャック１６にイヤホンピアス４０が接続された状態（「イヤホンピアス接続状態」、図１３のＳ１１）において、ジャック４２にプラグが挿入されると、識別電圧に基づき、プラグがジャック４２に挿入された接続機器の種別が判別される。
【０１２４】
識別電圧が零、或いは、１．４０〜１．６４Ｖであれば、接続機器としてイヤホン９０又はイヤホンマイク９３が重畳接続されたと判定される。この場合、状態がイヤホン／イヤホンマイク重畳接続状態（図１２のＳ１２）に遷移する。
【０１２５】
状態がイヤホン／イヤホンマイク重畳接続状態（図１２のＳ１２）に遷移する場合に、パス切替制御がなされる。具体的には、ＳＷ１が、出力を、“ＳＷＰ”及び“３．３Ｖ”から“ＨＰ＿Ｌ”及び“ＨＰ＿Ｒ”に切り替える。また、ＬＯＤ１がオフにされる一方で、ＬＯＤ２がオンにされる。パス切替制御によって、携帯端末１０は、イヤホン／イヤホンマイク動作モード（図１３のＳ１３）で動作する。
【０１２６】
これに対し、識別電圧が１．３１〜１．３５Ｖであれば、接続機器として他のイヤホンピアス４０Ｂが重畳接続されたと判定され、状態がイヤホンピアス重畳接続状態（図１３のＳ１４）に遷移する。このとき、ＬＯＤ２をオンにするパス切替制御がなされ、携帯端末１０は、ＳＷＰに基づき重畳接続されたイヤホンピアス４０と通信を行うシングルワイヤ通信モードで動作する（図１３のＳ１５）。
【０１２７】
イヤホン／イヤホンマイク動作モード（Ｓ１３）及びシングルワイヤ通信モード（Ｓ５）において、ジャック４２からのプラグの抜去が検出（イヤホンコネクタ未接続が検出）されると、イヤホンピアス接続状態に戻る（Ｓ１１）。
【０１２８】
実施形態に係る携帯端末１０，イヤホンピアス４０によれば、重畳接続された他の接続機器の種別を判定して、種別に応じた動作を携帯端末１０が行うことができる。これによって、イヤホンピアス４０が挿入された状態で、イヤホン９０やイヤホンマイク９３を重畳接続して使用することができる。
【０１２９】
＜適用例＞
次に、実施形態に係る携帯端末１０及びイヤホンピアス４０の適用例について説明する。
＜＜適用例１＞＞
図１４は、適用例１の説明図であり、図１５は、適用例１を説明するシーケンス図である。適用例１では、或る映画に登場する各キャラクタに応じた複数種類のイヤホンピアス４０が用意される。但し、映画は例示であり、小説、マンガなど、キャラクタの背景は問われない。
【０１３０】
各イヤホンピアス４０は、キャラクタに応じた外観（形状，構造，カラーリングなど）を有している。また、各イヤホンピアス４０に含まれるメモリ４４には、キャラクタの識別情報（ＩＤ情報、以下「キャラクタＩＤ」ともいう）が予め記憶されている。
【０１３１】
図１４及び図１５において、携帯端末１０にイヤホンピアス４０を挿入（接続）すると（図１４（１），図１５＜１＞）、携帯端末１０は、識別電圧（ＪＭＩＣ＿ＡＤＣ電圧）の確認を行う（図１５＜２＞）。確認において、電圧値がイヤホンピアス４０接続時における電圧範囲に属する場合には、携帯端末１０は、イヤホンピアス接続状態となり、シン
グルワイヤ通信モードで動作する。
【０１３２】
シングルワイヤ通信において、携帯端末１０（例えば、制御部１３のＣＰＵ２１）は、イヤホンピアス４０のメモリ４４に予め記憶されているキャラクタＩＤの読み出し要求を送信する（図１５＜３＞）。イヤホンピアス４０に含まれるＳＷＰモジュール４３は、キャラクタＩＤをメモリ４４から読み出し、携帯端末１０へ送る（図１５＜４＞）。
【０１３３】
携帯端末１０のＣＰＵ２１は、キャラクタＩＤを取得すると、キャラクタＩＤと予め関連づけてメモリ２２に記憶されているアプリケーションプログラム（アプリ）の実行を開始して、アプリを起動させる（図１５＜５＞）。このように、実施形態によれば、イヤホンピアス４０から取得したキャラクタＩＤのような固有情報に応じたアプリケーションを起動させることができる。
【０１３４】
アプリの実行によって、携帯端末１０は、インターネットを介してサーバ１００にアクセスする（図１４参照）。例えば、携帯端末１０は、キャラクタＩＤに対応する着せ替えデータのダウンロード要求を送信する（図１５＜６＞）。
【０１３５】
サーバ１００は、キャラクタＩＤに対応する着せ替えデータを有している。着せ替えデータは、携帯端末１０の表示内容や、表示の仕様を、キャラクタに応じた色や模様、キャラクタやキャラクタに関連する画像や仕様に変更するためのデータである。着せ替えデータは、例えば、キャラクタ画像を含むホーム画面のデータ，待ち受け画面のデータ，待ち受け画面上のキャラクタの画像データ，メーラ画面，カメラフレームのデータ等を含む。
【０１３６】
サーバ１００は、着せ替えデータをキャラクタＩＤと関連づけて管理している。サーバ１００は、キャラクタＩＤを受け付けると、対応する着せ替えデータを、自身が有する記憶媒体、或いは他の通信機器や情報処理装置から取得し、携帯端末１０へ送信する（図１５＜７＞）。このようにして、携帯端末１０は、キャラクタＩＤに対応する着せ替えデータをダウンロードする（図１４の（２））。
【０１３７】
携帯端末１０は、ダウンロードした着せ替えデータを用いて、ホーム画面，待ち受け画面，カメラフレーム，メーラ画面などの設定及び仕様を変更する。これによって、携帯端末１０の表示内容が、接続されたイヤホンピアス４０のキャラクタが表示、或いはキャラクタに関連する色，模様，画像などで装飾された状態となる。
【０１３８】
適用例１によれば、携帯端末１０のユーザは、イヤホンピアス４０の挿入によって、携帯端末１０の表示内容を、イヤホンピアス４０のキャラクタの仕様に変更することができる。このような変更は、「着せ替え」と呼ばれている。適用例１では、着せ替えのために、ユーザがイヤホンピアス４０を挿入すると、着せ替えデータのダウンロードが自動的に実行されるので、ユーザの手間を省くことができる。
【０１３９】
なお、着せ替えデータをサーバ１００からダウンロードする例について説明したが、着せ替えデータは、予め携帯端末１０のメモリ２２に記憶されていて、キャラクタＩＤに対応するものが使用可能となるようにしても良い。
【０１４０】
＜＜適用例２＞＞
適用例２として、ソーシャルネットワーキングサービス（ＳＮＳ）と連携する例について説明する。図１６は、適用例２の説明図である。図１７及び図１８は、適用例２を説明するシーケンス図である。
【０１４１】
[フェーズ１]
図１６において、携帯端末１０のユーザは、  携帯端末１０では、所定のＳＮＳに対応するアプリケーションプログラム（以下「アプリ」と表記）起動させる（図１７＜０＞）。次に、イヤホンピアス４０（以下、「ピアスＡ」と表記）のプラグ４１を携帯端末１０のジャック１６に挿入する。これにより、ピアスＡが携帯端末１０に接続される（図１７＜１＞）。
【０１４２】
アプリを実行する携帯端末１０（例えば制御部１３のＣＰＵ２１）は、識別電圧を測定（確認）し、ジャック１６を介して接続された接続機器の種別がイヤホンピアス４０（ピアスＡ）であると判定する。すると、携帯端末１０は、アプリの実行によって、インターネットを介して、ＳＮＳのサーバ１００にアクセスする。携帯端末１０は、サーバ１００に対し、ピアスＡの個体識別情報（個別ＩＤ）の提供を要求する（図１７＜３＞）。
【０１４３】
携帯端末１０は、サーバ１００から提供された個別ＩＤ（「アプリ識別ＩＤ」と称する）を受信する（図１７＜４＞）。すると、携帯端末１０は、ピアスＡとシングルワイヤ通信を行い、ピアスＡのメモリ４４にアプリ識別ＩＤを書き込む（図１７＜５＞）。
【０１４４】
その後、携帯端末１０は、ピアスＡにアプリ識別ＩＤの提供を要求し（図１７＜６＞）、メモリ４４から読み出されたアプリ識別ＩＤを取得する（図１７＜７＞）。＜６＞及び＜７＞の処理は、アプリ識別ＩＤの書き込み及び読み出しが正常に行われるかをチェックするためである。
【０１４５】
携帯端末１０は、ピアスＡから取得したアプリ識別ＩＤをサーバ１００に送る（図１７＜８＞）。サーバ１００は、携帯端末１０から受信されたアプリ識別ＩＤと、自身が携帯端末１０に提供したアプリ識別ＩＤとを照合して、照合結果がＯＫかＮＧかを判定する。照合結果がＯＫの場合には、その旨が携帯端末１０に通知される（図１７＜９＞）。
【０１４６】
サーバ１００は、ピアスＡ向けに提供したアプリ識別ＩＤを、ピアスＡの個別ＩＤとして登録する。これによって、ピアスＡがサーバ１００に登録された状態となる（図１７＜１０＞）。このとき、携帯端末１０は、サーバ１００から会員証や、特典情報（クーポン，チケットなど）を受信する。携帯端末１０は、会員証の情報や特典情報を、ピアスＡのメモリ４４，携帯端末１０が有するメモリ２２の少なくとも一方に記憶させることができる。また、会員証の情報や特典情報は、ＩＣカードリーダライタ１５を用いて、携帯端末１０が有するＩＣカード１５ａに書き込むことができる。
【０１４７】
[フェーズ２] 
図１６において、ピアスＡのユーザの友達をＳＮＳに参加させる場合には、一例として、以下のような動作及び処理が行われる。すなわち、携帯端末１０でＳＮＳのアプリを起動し（図１８＜０＞）、携帯端末１０にピアスＡを挿入する（図１８＜１＞）。
【０１４８】
すると、携帯端末１０が識別電圧を確認し、接続機器がイヤホンピアス４０（ピアスＡ）であると判定すると、ピアスＡのメモリ４４からアプリ識別ＩＤを読み出す（図１８＜２＞及び＜３＞）。
【０１４９】
次に、ピアスＡのユーザの友達が所持する他のイヤホンピアス４０Ｂ（以下、「ピアスＢ」と表記する）のプラグ４１をピアスＡのジャック４２に挿入し、ピアスＢを携帯端末１０に重畳接続する。すると、携帯端末１０は、ピアスＡのＳＷ２の切替制御を行う（図１８＜５＞）。これによって、携帯端末１０からのアプリ識別ＩＤ要求がピアスＡを介してピアスＢに入力される（図１８＜６＞）。
【０１５０】
ピアスＢは、予めサーバ１００に登録されており、サーバ１００から提供されたピアス
Ｂ固有のアプリ識別ＩＤをメモリ４４に記憶している。このため、アプリ識別ＩＤがメモリ４４から読み出され、携帯端末１０に提供される（図１８＜７＞）。
【０１５１】
携帯端末１０は、サーバ１００へ、ピアスＡのアプリ識別ＩＤ（「アプリ識別ＩＤ−１」と表記）を送信し、サーバ１００が提供するサイトにログインする（図１８＜８＞）。サーバ１００は、ピアスＡのログイン及びユーザステータス情報を携帯端末１０に送信する（図１８＜９＞）。このとき、ピアスＡのユーザに対するサイトの会員証の情報、特典（クーポン，チケット）の情報が携帯端末１０に供給される。
【０１５２】
携帯端末１０は、サーバ１００に対し、ピアスＢのアプリ識別ＩＤ（「アプリ識別ＩＤ−２」と表記）と、ピアスＢ（のユーザ）をピアスＡのユーザの友達として、追加することを要求する。
【０１５３】
サーバ１００は、アプリ識別ＩＤ−２と、予め登録しているピアスＢのアプリ識別ＩＤとの照合を行う。サーバ１００は、アプリ識別ＩＤ−２が正当であると判定すると、ピアスＡに対する友達追加がＯＫ（追加を許可する）の旨と、ピアスＡ向けに供給した特典（クーポン，チケットなど）の共有がＯＫ（共有を許可する）旨とを携帯端末１０に通知する（図１８＜１１＞）。このとき、サーバ１００では、アプリ識別ＩＤ−１と、アプリ識別ＩＤ−２と、会員証の情報（会員情報）と、特典の情報とが関連づけて記憶される。
【０１５４】
この場合、図１６に示すように、クーポンやチケットなどの特典情報を、友達に分け与えることができる。例えば、携帯端末１０は、ピアスＢとのシングルワイヤ通信により、ピアスＢのメモリ４４に、特典情報を書き込むことができる。また、ピアスＢのメモリ４４にピアスＢのユーザが別途取得済の特典情報がある場合には、ピアスＢから当該特典情報を読み出し、ピアスＡのメモリ４４に書き込むこともできる。制御部１３は、ＳＷ１からの“ＳＷＰ”及び“３．３Ｖ”（通信チャネル及び電力）の出力先を切り換えることで、読み書き対象のメモリ４４を切り換えることができる。
【０１５５】
このように、ピアスＡのユーザとピアスＢのユーザとの間で、特典（チケットやクーポンなど）を共有したり、交換したりすることができる。
【０１５６】
[フェーズ３] 
携帯端末１０が有するＩＣカード１５ａを用いて、特典を共用することもできる。ピアスＡのユーザに対するサイトの会員証の情報、特典（クーポン，チケット）の情報，アプリ識別ＩＤ−１，アプリ識別ＩＤ−２は、例えば、携帯端末１０が有するＩＣカード１５ａ内に、認証データとして、ＩＣカードリーダライタ１５を用いて記憶される。
【０１５７】
例えば、特典が、或るイベント会場への入場チケットであると仮定する。この場合、携帯端末１０のユーザは、ＩＣカードを、例えばイベント会場の入場ゲートに配置されたＩＣカードリーダライタ１１０に近接又は接触させる（図１８＜１２＞）。すると、ＩＣカードから、会員証の情報、特典の情報，アプリ識別ＩＤ−１，アプリ識別ＩＤ−２が認証データとして読み出され、ＩＣカードリーダライタ１１０にて取得される（図１８＜１３＞）。
【０１５８】
認証データは、例えばサーバ１００に送られる。サーバ１００は、認証データの認証処理を行い、認証処理の結果をＩＣカードリーダライタ１１０経由で携帯端末１０に送る（図１８＜１４＞）。上記したように、会員証の情報、特典の情報，アプリ識別ＩＤ−１，アプリ識別ＩＤ−２は、サーバ１００にて予め関連づけて記憶されているので、認証が成功する。認証が成功することで、ピアスＡのユーザと、ピアスＢのユーザとは、共に特典（入場チケット）に基づき入場が許可される。
【０１５９】
適用例２によれば、例えば、データを携帯端末１０を介してイヤホンピアス間で共有、或いは交換することができる。例えば、上述したように、ピアスＡのユーザは、ピアスＢのユーザを、例えばＳＮＳのサイトにおいて友達として登録し、クーポンやチケットのような特典を、ユーザ間で共有したり、交換したりすることができる。このとき、ピアスＢのユーザは、自身の携帯端末１０を操作することなく、ピアスＢをピアスＡに挿すだけであるので、簡便である。
【０１６０】
＜適用例３＞
適用例３として、イヤホンピアス４０にセキュリティＩＤを保存し、当該セキュリティＩＤを用いてロック解除やログインを行う例について説明する。セキュリティＩＤは、例えば、個人ＩＤなどの個人（携帯端末１０のユーザ等）の識別情報である。
【０１６１】
図１９は、適用例３の説明図である。携帯端末１０において、ディスプレイ２３に、認証画面が表示される。認証画面は、ユーザに対し、認証用情報（例えば、セキュリティＩＤ）の入力を要求する画面である。
【０１６２】
認証画面は、例えば、一定時間入力がない場合に、セキュリティロックを行い（例えば、携帯端末１０の操作をロックし）、ロック解除キーの入力を求めるロック画面である。或いは、認証画面は、アプリケーションのホーム画面、ウェブサイトのログイン画面などである。適用例３では、認証画面が表示されている場合に、イヤホンピアス４０をジャック１６に挿入し、イヤホンピアス４０に記憶されている認証用情報を用いて認証を行う（図１９（２））。認証がなされると、ロック解除、或いはログイン処理（アプリケーションやサイトの使用可能化処理）が行われる。
【０１６３】
図２０は、イヤホンピアス４０に対するセキュリティＩＤの登録処理の一例を示すシーケンス図である。携帯端末１０において、或るサイト、或いはアプリケーションのホーム画面において、セキュリティ設定を行うと仮定する（図２０＜１＞，＜２＞）。
【０１６４】
ホーム画面において、イヤホンピアス４０の接続が要求されると、携帯端末１０のユーザは、イヤホンピアス４０を挿入する（図２０＜３＞）。携帯端末１０は、イヤホンピアス４０の接続を判定し、シングルワイヤ通信モードとなる。すると、携帯端末１０は、セキュリティＩＤをメモリ４４に書き込む（図２０＜４＞）。
【０１６５】
その後、携帯端末１０は、書き込み及び読み出しの正常性確認のために、イヤホンピアス４０にセキュリティＩＤの読み出しを要求し（図２０＜５＞）、要求に応じて読み出されたセキュリティＩＤを取得する（図２０＜６＞）。読み出しが成功すると、携帯端末１０は、セキュリティＩＤの登録が成功（完了）と判定する（図２０＜７＞）。このとき、必要に応じて、読み出されたセキュリティＩＤを、書き込みを要求したセキュリティＩＤと照合して、登録されたセキュリティＩＤが正常か否かを確認しても良い。
【０１６６】
図２１は、認証画面の一例としてのロック画面におけるロック解除動作の一例を示すシーケンス図である。携帯端末１０でロック画面が表示されていると仮定する（図２１＜１＞）。この場合に、イヤホンピアス４０がジャック１６に挿入されると（図２１＜２＞）、携帯端末１０は、イヤホンピアス４０の単独接続を検知し、シングルワイヤ通信モードに遷移する。
【０１６７】
携帯端末１０は、イヤホンピアス４０に対し、メモリ４４に記憶されているセキュリティＩＤ（認証用情報の一例）の読み出し要求を送信し、セキュリティＩＤを取得する（図２１＜３＞及び＜４＞）。携帯端末１０は、イヤホンピアス４０から読み出されたセキュ
リティＩＤが正常であれば、ロックを解除する（図２１＜５＞）。
【０１６８】
このように、適用例３では、認証用情報を事前にイヤホンピアス４０に登録しておき、認証時に、イヤホンピアス４０を携帯端末１０に接続することで、認証を行う。これによって、イヤホンピアス４０を鍵のように使用することができる。認証用情報は視認できないため、セキュリティの向上が図れる。また、イヤホンピアス４０を携帯端末１０に接続するという簡単な操作で、認証を行うことができる。すなわち、認証コードの手入力のような煩わしさがない。以上説明した実施形態の構成は、適宜組み合わせることができる。
【０１６９】
上述した実施形態は、以下の付記を開示する。付記は、適宜組み合わせることが可能である。
【０１７０】
（付記１）  第１接続機器に備えられた第１コネクタと接続されるコネクタと、
前記第１接続機器に備えられた第２コネクタに第２接続機器が接続されたときに、前記コネクタ及び前記第１接続機器を介して前記第２接続機器と電気的に接続される信号線と、
前記信号線の電圧に基づいて前記第２接続機器の種別を判定する判定部と、
を含む端末装置。（１）
【０１７１】
（付記２）  前記判定部は、前記第２コネクタへの前記第２接続機器の接続によって前記信号線と電気的に接続される前記第２接続機器内の回路部品に応じた前記信号線の電圧を測定する
付記１に記載の端末装置。（２）
【０１７２】
（付記３）  前記判定部は、前記信号線の電圧に基づき、前記第２接続機器が、イヤホンと、イヤホンマイクと、イヤホンジャックピアスとのいずれであるかを判定する
付記１又は２に記載の端末装置。（３）
【０１７３】
（付記４）  前記第２接続機器がイヤホンを含む場合に音声チャネルを前記コネクタに接続する一方で、前記第２接続機器が記憶媒体を含む場合に前記記録媒体から読み出しされるデータ及び前記記録媒体へ書き込みされるデータの通信チャネルと前記データの読み出し及び前記書き込み用の電力とを前記コネクタに接続する制御部と、
をさらに含む付記１から３の何れか１項に記載の端末装置。（４）
【０１７４】
（付記５）  前記第１接続機器は、前記音声チャネルと、前記通信チャネル及び前記電力の供給線との一方として使用される共用線と、記憶媒体と、前記記憶媒体に対するデータの読み書きを行う読み書き部と、を含み、
前記制御部は、前記第２コネクタに前記第２接続機器が接続されている場合に前記共用線を前記第２コネクタに接続し、前記第２コネクタに前記第２接続機器が接続されていない場合に前記共用線を前記記憶媒体及び前記読み書き部に接続する制御信号を前記第１接続機器に供給する
付記４に記載の端末装置。（５）
【０１７５】
（付記６）  前記第１接続機器が第１記憶媒体を有する一方で前記第２接続機器が第２記憶媒体を有する場合に、前記第１記憶媒体及び前記第２記憶媒体との一方から読み出したデータを前記第１記憶媒体及び前記第２記憶媒体の他方へ書き込む処理を行う制御部をさらに含む
付記１に記載の端末装置。
【０１７６】
（付記７）  端末装置が備えるコネクタとの接続に使用される第１コネクタと、
他の接続機器との接続に使用される第２コネクタと、
前記端末装置に備えられ且つ前記他の接続機器の種別を判定するための電圧測定に使用される第１信号線に接続される第２信号線と、
前記第２コネクタに接続された前記他の接続機器が備える回路部品とともに前記第２信号線に接続される回路素子と
を含む接続機器。（６）
【０１７７】
（付記８）  前記他の接続機器がマイクロフォンを有し、前記マイクロフォンから入力された音声信号が前記第２信号線を介して前記第１信号線に伝達される場合に、前記回路素子を前記第２信号線から切断する切断回路を含む
付記７に記載の接続機器。
【符号の説明】
【０１７８】
１０・・・携帯端末
１３・・・制御部
１６・・・ジャック
２１・・・ＣＰＵ
２２・・・メモリ
４０，４０Ｂ・・・イヤホンジャックピアス（イヤホンピアス）
４１・・・プラグ
４２・・・ジャック
４３・・・ＳＷＰモジュール
４４・・・ＥＥＰＲＯＭ
９０・・・イヤホン
９３・・・イヤホンマイク
９４・・・マイクロフォン
【図１】
2017076870.tif 000004
【図２】
2017076870.tif 000005
【図３】
2017076870.tif 000006
【図４】
2017076870.tif 000007
【図５】
2017076870.tif 000008
【図６】
2017076870.tif 000009
【図７】
2017076870.tif 000010
【図８】
2017076870.tif 000011
【図９】
2017076870.tif 000012
【図１０】
2017076870.tif 000013
【図１１】
2017076870.tif 000014
【図１２】
2017076870.tif 000015
【図１３】
2017076870.tif 000016
【図１４】
2017076870.tif 000017
【図１５】
2017076870.tif 000018
【図１６】
2017076870.tif 000019
【図１７】
2017076870.tif 000020
【図１８】
2017076870.tif 000021
【図１９】
2017076870.tif 000022
【図２０】
2017076870.tif 000023
【図２１】
2017076870.tif 000024